(57)【要約】【課題】ピックアップベースのがたつきを除去する。【解決手段】発光素子と光検出器と対物レンズ４１が組み込まれたピックアップベース４０と、ピックアップベース４０の両側面部に形成され、ピックアップベース４０を光記録媒体の記録領域に亘って移動自在に支持する第１及び第２のガイド部材１０，１１に支持される一対の支持部４３，４４と、一端５１ａがピックアップベース４０の一側面側に設けられた係止部５２に係止され、ピックアップベース４０の裏面側に延設された他端５１ｂがピックアップベース４０の他側面に設けられた支持部４３の近傍に位置された線状バネ５１とを備え、線状バネ５１は、他端５１ｂがピックアップベース４０の裏面側から主面側に向かって曲げられることにより、他方の支持部４３を支持する第１又は第２のガイド部材１０に当接され、ピックアップベース４０を該曲げ方向に付勢可能とされている。【選択図】図５
2007272976.tif 000002
【特許請求の範囲】
【請求項１】
少なくとも光記録媒体にレーザ光を出射する発光素子と、上記光記憶媒体からの反射光を検出する光検出器と、上記レーザ光を上記光記録媒体に集光する対物レンズが組み込まれたピックアップベースと、
上記ピックアップベースの両側面部に形成され、該ピックアップベースを上記光記録媒体の記録領域に亘って移動自在に支持する第１及び第２のガイド部材に支持される一対の支持部と、
一端が上記ピックアップベースの一側面側に設けられた係止部に係止され、上記ピックアップベースの上記対物レンズが臨まされた主面と反対側の裏面側に延設された他端が上記ピックアップベースの他側面に設けられた一方の上記支持部の近傍に位置された線状バネとを備え、
上記線状バネは、上記他端が上記ピックアップベースの裏面側から主面側に向かって曲げられることにより、上記一方の支持部を支持する上記第１又は第２のガイド部材に当接され、上記ピックアップベースを該曲げ方向に付勢可能とされている光ピックアップ。
【請求項２】
上記線状バネは、上記一端から他端にかけて上記ピックアップベースの裏面上において折り曲げられた折り曲げ部が形成されていることを特徴とする請求項１記載の光ピックアップ。
【請求項３】
上記線状バネは、一端が上記ピックアップベースの上記光記録媒体に対する移動方向外周側に係止され、他端が上記ピックアップベースの上記光記録媒体に対する移動方向内周側に配設されていることを特徴とする請求項１記載の光ピックアップ。
【請求項４】
少なくとも光記録媒体にレーザ光を出射する発光素子と、上記光記録媒体からの反射光を検出する光検出器と、上記レーザ光を上記光記録媒体に集光する対物レンズが組み込まれた略矩形状のピックアップベースを有し、該ピックアップベースの両側面部には上記光記録媒体の記録領域に亘って移動自在に支持される一対の支持部が設けられた光ピックアップと、
上記ピックアップベースを上記記録媒体の記録領域に亘って移動自在に支持するベースシャーシと、
上記ベースシャーシに互いに平行に配設されるとともに、上記ピックアップベースの両側面を摺動自在に支持し、上記ピックアップベースの上記光記録媒体に対する移動をガイドする第１及び第２のガイド部材と、
上記ピックアップベースを上記第１及び第２のガイド部材に沿って移動させるピックアップ移動機構と、
一端が上記ピックアップベースの一側面側に設けられた係止部に係止され、上記ピックアップベースの上記対物レンズが臨まされた主面と反対側の裏面側に延設された他端が上記ピックアップベースの他側面側に設けられた一方の上記支持部の近傍に位置された線状バネとを備え、
該線状バネは、上記他端が上記ピックアップベースの裏面側から主面側に向かって曲げられることにより、上記一方の支持部を支持する上記第１又は第２のガイド部材に当接され、該ピックアップベースを上記曲げ方向に付勢する記録及び／又は再生装置。
【請求項５】
上記線状バネは、上記一端から上記他端にかけて、上記ピックアップベースの裏面上において折り曲げられた折り曲げ部が形成されていることを特徴とする請求項４記載の記録及び／又は再生装置。
【請求項６】
上記線状バネは、一端が上記ピックアップベースの上記光記録媒体に対する移動方向外周側に係止され、他端が上記ピックアップベースの上記光記録媒体に対する移動方向内周側に配設されていることを特徴とする請求項４記載の記録及び／又は再生装置。
【発明の詳細な説明】
【技術分野】
【０００１】
本発明は、光記録媒体に対して情報信号の記録又は再生を行う記録及び／又は再生装置に関し、特にシャーシに設けられたモータによって、ピックアップベースが記録媒体に対して移動される光ピックアップ、及び記録及び／又は再生装置に関する。
【背景技術】
【０００２】
ＣＤ（compact disc）やＤＶＤ（digital versatile disk）といった光ディスクの記録再生装置１００としては、一般に、図９に示すように、光ディスクを回転自在に保持するターンテーブル１０１と、光ディスクに対して情報信号の記録又は再生を行う光ピックアップ１０２と、光ピックアップ１０２を光ディスクの径方向に搬送するピックアップ搬送機構１０３とを有する。そして、記録再生装置１００は、シャーシ１０４に形成された開口部１０５よりターンテーブル１０１及び光ピックアップ１０２がディスク搬送領域に臨まされ、ディスク搬送機構１０３によってターンテーブル１０１へ搬送、保持された光ディスクに対して、情報信号の記録又は再生を行う。
【０００３】
光ピックアップ１０２は、略矩形状のピックアップベース１０６を有し、このピックアップベース１０６内に、レーザ光を出射する発光素子と、光ディスクからの反射光を検出する光検出器と、レーザ光を光ディスクに照射するとともに光ディスクからの反射光を集光する対物レンズ１０８が組み込まれている。
【０００４】
光ピックアップ１０２を搬送するピックアップ搬送機構１０３は、光ピックアップ１０２のピックアップベース１０６の長手方向の両側面に移動自在に支持される第１、第２のガイド軸１０９，１１０と、ピックアップベース１０６に取り付けられたラック１１１と、ラック１１１を駆動する駆動ギヤ１１２と、駆動ギヤ１１２に駆動力を付与する駆動モータ１１３とを備える。
【０００５】
第１、第２のガイド軸１０９，１１０は、ピックアップベース１０６の移動をガイドするためのものであり、光ディスクの径方向に亘って互いに平行に配設されている。第１のガイド軸１０９は、ピックアップベース１０６の一側面１０６ａに形成された挿通孔１１５に移動自在に挿通、支持されている。また、第２のガイド軸１１０は、ピックアップベースの他側面１０６ｂに形成された係合凹部１１６に移動自在に係合されている。この係合凹部１１６は、断面略コ字状に形成され、開放端より第２のガイド軸１１０が挿通、係合されている。また係合凹部１１６は、第２のガイド軸１１０がスムーズに移動可能に、相対向する内壁間が第２のガイド軸１１０の径よりも若干高く形成されている。
【０００６】
ラック１１１は、ピックアップベース１０６の対物レンズ１０８が臨まされる面と反対側の裏面に取り付けられ、第１のガイド軸１０９と平行に延設された送り歯が形成されている。そしてラック１１１は、送り歯が駆動ギヤ１１２を介して駆動モータ１１３と連結されることによりピックアップベース１０６を光ディスクの径方向へ移動させる。駆動ギヤ１１２は、ラック１１１と係合する第１の歯車１１２ａと駆動モータ１１３の軸に形成されたウォーム１１３ａと係合する第２の歯車１１２ｂとを有する２段ギヤであり、駆動モータ１１３の正転あるいは逆転駆動に応じてラック１１１を一方あるいは他方に移動させる。これによりピックアップベース１０６は、第１、第２のガイド軸１０９，１１０にガイドされながら光ディスクの径方向に亘って搬送される。
【０００７】
駆動モータ１１３は、例えば直流モータが用いられ、記録再生装置１００の制御部によって送信されたステップパルスによって駆動され、ピックアップベース１０６をステップ送りする。
【０００８】
これら駆動ギヤ１１２及び駆動モータ１１３は、シャーシ１０４の裏面に回動自在に取り付けられた基板１１４上に配設されている。そして基板１１４の立壁１１４ａには、一端をシャーシ１０４の側壁に係止された捻りコイルバネ１２０の他端が当接され、駆動ギヤ１１２がラック１１１と当接する方向へ与圧が付与されている。これにより、ウォーム１１３ａと駆動ギヤ１１２の第２の歯車１１２ｂとの隙間を無くすことができ、いわゆるバックラッシを除き、駆動モータ１１３の正転あるいは逆転駆動させる際にも、駆動モータ１１３の駆動量に応じて駆動ギヤ１１２及びラック１１１を駆動させ、ピックアップベース１０６を所定量だけステップ搬送することができる。
【０００９】
ところで、かかる記録再生装置１００においては、第１、第２のガイド軸１０９，１１０と、挿通孔１１５あるいは係合凹部１１６とは、ピックアップベース１０６のスムーズな移動をガイドするために、挿通孔１１５の孔径あるいは係合凹部１１６の凹部内の高さが、第１、第２のガイド軸１０９，１１０の径よりも大きく形成されている。したがって、図１０に示すように、ピックアップベース１０６は、挿通孔１１５に挿通されている第１のガイド軸１０９を中心に他側面１０６ｂ側が、第１、第２のガイド軸１０９，１１０の延設方向と略直交する方向へ、第２のガイド軸１１０と係合凹部１１６とのクリアランス分だけ回動する余地がある。
【００１０】
このため、記録再生装置１００は、光ピックアップ１０２の駆動中にピックアップベース１０６が第１、第２のガイド軸１０９，１１０の延設方向と略直交する方向へ揺動してしまい、記録再生特性に影響を与えることがある。特に、記録再生装置１００がモバイルパソコン等の携帯型情報端末に搭載された場合や、車載用のディスク記録再生装置として形成された場合には、記録再生装置１００が据え置かれていない状況での使用が予定されているため、情報信号の記録や再生中にピックアップベース１０６が揺動するおそれが多くなる。
【００１１】
なお、上述した捻りコイルバネ１２０は、ラック１１１及びピックアップベース１０６に対して側方から与圧を付与しているが、ピックアップベース１０６の揺動方向と直交する方向に付勢していること、またピックアップベース１０６のスムーズな搬送、駆動モータ１１３の駆動電力の抑制等の見地から、ピックアップベース１０６の第１、第２のガイド軸１０９，１１０の延設方向と略直交する方向への揺動を抑制するまでの付勢力は得られない。
【００１２】
そこで、従来はピックアップベース１０６の他側面１０６ｂ側に板バネを取り付け、この板バネによってピックアップベース１０６を第２のガイド軸１１０に押し当てるものがある。ピックアップベース１０６は、この板バネの付勢力によって係合凹部１１６が第２のガイド軸１１０に付勢され、この付勢力によって係合凹部１１６と第２のガイド軸１１０とのクリアランス分の回動を防止する。
【００１３】
しかし、板バネを用いてピックアップベース１０６の回動を防止する構成では、板バネをピックアップベースにビス止めすることとなるが、ピックアップベース１０６の小型化が進むにつれて、ビスを打つ場所を確保できなくなり、板バネを設けることができない。また板バネを別部材を用いてピックアップベース１０６に固定する構成では、部品点数や組立工程が増加し、また別部品を取り付けるスペースを要するためにピックアップベースの小型化にも限界があった。
【００１４】
【特許文献１】特開平９−２０４７４５号公報
【特許文献２】特開２００５−１９０６２７号公報
【発明の開示】
【発明が解決しようとする課題】
【００１５】
そこで、本発明は、ピックアップベースの大型化を招くことなく、がたつきを除去することができる光ピックアップ、及び記録及び／又は再生装置を提供することを目的とする。
【課題を解決するための手段】
【００１６】
上述した目的を解決するために、本発明に係る光ピックアップは、少なくとも光記録媒体にレーザ光を出射する発光素子と、上記光記憶媒体からの反射光を検出する光検出器と、上記レーザ光を上記光記録媒体に集光する対物レンズが組み込まれたピックアップベースと、上記ピックアップベースの両側面部に形成され、該ピックアップベースを上記光記録媒体の記録領域に亘って移動自在に支持する第１及び第２のガイド部材に支持される一対の支持部と、一端が上記ピックアップベースの一側面側に設けられた係止部に係止され、上記ピックアップベースの上記対物レンズが臨まされた主面と反対側の裏面側に延設された他端が上記ピックアップベースの他側面に設けられた一方の上記支持部の近傍に位置された線状バネとを備え、上記線状バネは、上記他端が上記ピックアップベースの裏面側から主面側に向かって曲げられることにより、上記一方の支持部を支持する上記第１又は第２のガイド部材に当接され、上記ピックアップベースを該曲げ方向に付勢可能とされているものである。
【００１７】
また本発明に係る記録及び／又は再生装置は、少なくとも光記録媒体にレーザ光を出射する発光素子と、上記光記録媒体からの反射光を検出する光検出器と、上記レーザ光を上記光記録媒体に集光する対物レンズが組み込まれた略矩形状のピックアップベースを有し、該ピックアップベースの両側面部には上記光記録媒体の記録領域に亘って移動自在に支持される一対の支持部が設けられた光ピックアップと、上記ピックアップベースを上記記録媒体の記録領域に亘って移動自在に支持するベースシャーシと、上記ベースシャーシに互いに平行に配設されるとともに、上記ピックアップベースの両側面を摺動自在に支持し、上記ピックアップベースの上記光記録媒体に対する移動をガイドする第１及び第２のガイド部材と、上記ピックアップベースを上記第１及び第２のガイド部材に沿って移動させるピックアップ移動機構と、一端が上記ピックアップベースの一側面側に設けられた係止部に係止され、上記ピックアップベースの上記対物レンズが臨まされた主面と反対側の裏面側に延設された他端が上記ピックアップベースの他側面側に設けられた一方の上記支持部の近傍に位置された線状バネとを備え、該線状バネは、上記他端が上記ピックアップベースの裏面側から主面側に向かって曲げられることにより、上記一方の支持部を支持する上記第１又は第２のガイド部材に当接され、該ピックアップベースを上記曲げ方向に付勢するものである。
【発明の効果】
【００１８】
本発明に係る光ピックアップ、及び記録及び／又は再生装置によれば、一端がピックアップベースの一側面に係止された線状バネの他端がピックアップベースの他側面側まで延設され第１又は第２のガイド部材に当接されることにより、ピックアップベースの支持部が第１又は第２のガイド部材に付勢される。したがってこの光ピックアップによれば、線状バネをピックアップベースに係止させるのみで光ピックアップに付勢部材を取り付けることができ、ピックアップベースの大型化を招くことなく、ピックアップベースの揺動を防止でき、良好な記録再生特性を維持できる。
【００１９】
また本光ピックアップ、及び記録及び／又は再生装置は、線状バネをピックアップベースの一側面から他側面まで延設させることにより、その全長を長く形成しているため、第１又は第２のガイド部材に当接される線状バネのバネ定数の変位を安定化することができる。
【発明を実施するための最良の形態】
【００２０】
以下、本発明が適用されたディスク記録再生装置について、図面を参照しながら詳細に説明する。このディスク記録再生装置１は、音楽データ、映像データ、地図データ等のデータが記録されたコンパクトディスクやデジタル・バーサタイル・ディスクといった光ディスクの記録再生装置である。このディスク記録再生装置１は、例えば、車載用のカーオーディオシステムあるいはモニタと接続されたＡＶナビゲーションを構成するコアユニットとして用いられるものであって、図１に示すように、１ＤＩＮあるいは２ＤＩＮサイズの装置本体２を備える。装置本体２は、図２に示すように、内部に金属板が折り曲げられてなる略矩形状のシャーシ４が配設されることにより、装置本体２内が上下に仕切られ、上部を光ディスク３の搬送、駆動領域とされている。
【００２１】
また装置本体２内には、図２及び図３に示すように、光ディスク３を装置本体２の内外に亘って搬送するディスク搬送機構５と、装置本体２内に搬送された光ディスク３を回転自在に保持するディスク回転機構６と、光ディスク３に対して情報信号の記録又は再生を行う光ピックアップ７と、光ピックアップ７のピックアップベース４０を光ディスク３の径方向に移動させるピックアップ移動機構８とを備える。
【００２２】
またシャーシ４には、ディスク回転機構６のディスクテーブル１３及び光ピックアップ７のピックアップベース４０を光ディスク３の搬送、駆動領域上に臨ませる開口部９が形成されている。開口部９は、ディスクテーブル１３に回転可能に支持されている光ディスク３の径方向に亘って形成され、光ピックアップ７のピックアップベース４０を光ディスク３の信号記録面に内外周に亘って臨ませる。
【００２３】
この開口部９の長手方向に亘る一側縁９ａには、図３に示すように、後述するピックアップベース４０の係合凹部４３が係合される係合片１０が形成されている。係合片１０は、ピックアップベース４０を光ディスク３の径方向に亘って移動自在に支持するガイド部材であり、開口部９の一側縁９ａに沿って、シャーシ４の主面４ａから下方に折り曲げられた複数の支持片に間欠的に支持され開口部９の一側片９ａに沿って延設された係合板部１０ａを備え、この係合板部１０ａに係合凹部４３が係合される。
【００２４】
また、開口部９の長手方向に亘る他側縁９ｂには、ピックアップベース４０の挿通孔４４に挿通するガイド軸１１が配設されている。ガイド軸１１は、係合片１０とともにピックアップベース４０の光ディスク３の径方向に亘る移動をガイドするためのものであり、開口部９の他側縁９ｂに沿って延設され、シャーシ４の主面４ａから下方に突設されている図示しない支持片によって両端を支持されている。
【００２５】
ディスク搬送機構５は、光ディスク３を装置本体２の内外に亘って搬送する搬送ローラ１２を有し、装置本体２の前面２ａに形成されたディスク挿脱口から光ディスク３が直接挿脱されるいわゆるスロットインタイプの搬送機構として構成される。搬送ローラ１２は、装置本体２の前面２ａ側において両側面間に亘って回転自在に支持され、詳細を省略する駆動機構により正転あるいは逆転駆動され、光ディスク３を装置本体２の内外に亘って搬送する。なお、搬送ローラ１２は、図示しない昇降機構によってディスク搬送領域を昇降可能とされている。そして光ディスク３がディスク回転機構６にチャッキングされ回転駆動される際は昇降機構によって下降され、光ディスク３から離間する。また光ディスク３の挿入又は排出時には昇降機構によって上昇され、光ディスク３と当接され、搬送可能となる。
【００２６】
搬送ローラ１２によって装置本体２内に搬送された光ディスク３を回転自在にチャッキングするディスク回転機構６は、光ディスク３が装着されるディスクテーブル１３と、ディスクテーブル１３を回転するスピンドルモータ１４と、ディスクテーブル１３とで光ディスク３を挟み込み回転自在にチャッキングするディスク押さえ板１５とを有する。
【００２７】
ディスクテーブル１３は、中心部にスピンドルモータ１４のスピンドル１６が固定される軸部１７と、この軸部１７の周囲に形成される環状の溝部１８と、この溝部１８の周囲に形成され、光ディスク３のセンタ孔３ａに係合されるセンタリング部１９と、このセンタリング部１９の周囲に形成される環状の凹部２０と、凹部２０の周囲に形成され、光ディスク３のセンタ孔３ａの周囲を支持する環状のディスク支持部２１とを備える。
【００２８】
中心部の軸部１７は、スピンドルモータ１４のスピンドル１６が圧入される筒部であり、スピンドル１６と一体化されることによって、ディスクテーブル１３がスピンドルモータ１４の駆動によって回転するようにしている。この軸部１７の周囲に連続して形成される溝部１８は、ディスクテーブル１３と、ディスク押さえ板１５との相対位置を位置決めするためのものであり、ディスク押さえ板１５側の係合ガイド部２６が係合される（図８参照）。また、この溝部１８には、軸部１７と略同じ高さ、又は、軸部よりやや低い高さの係合突起２２が形成されている。この係合突起２２は、後述するディスク押さえ板１５の係合ガイド部２６に形成された複数の係合溝２６ａの何れかに係合し、ディスクテーブル１３と共にディスク押さえ板１５が回転するようにする。
【００２９】
センタリング部１９は、この環状の溝部１８の外周側に連続して形成される突部である。センタリング部１９は、内周壁が溝部１８の外周壁ともなっており、垂直壁で形成されている。また、センタリング部１９の外周壁は、基端から先端側に向かって縮径するように形成されることで、光ディスク３のセンタ孔３ａに係合される際の傾斜ガイド部１９ａとなっている。
【００３０】
そして、センタリング部１９の外周には、連続して環状の凹部２０が形成され、更に、凹部２０と連続した外周側に、ディスク支持部２１が形成されている。このディスク支持部２１は、環状の突部であり、先端面で、光ディスク３のセンタ孔３ａの周囲に当接し、これを支持するように形成されている。このディスク支持部２１の先端面は、光ディスク３の高さ方向の位置を規定する装着基準面となるものであり、平面をなすように形成されている。
【００３１】
このディスクテーブル１３は、シャーシ４の裏面に取り付けられたスピンドルモータ１４のスピンドル１６に取り付けられ、スピンドル１６と一体的に回転するようになっている。このディスク回転機構６は、例えば、光ディスク３を、ＣＬＶ（Constant Linear Velocity）、ＣＡＶ（Constant Angula Velocity）、ＺＣＬＶ（Zone Constant Linear Velocity）、ＺＣＡＶ（Zone Constant Angular Velocity）等となるようなサーボ制御を行いながら回転する。
【００３２】
以上のようなディスクテーブル１３と共に光ディスク３を挟み込むディスク押さえ板１５は、図２及び図４に示すように、樹脂製の円盤からなり、中心部にはディスクテーブル１３の軸部１７が係合される係合凹部２５と、該係合凹部２５の外周壁をなすとともに基端から先端にかけて縮径するような傾斜面をなす係合ガイド部２６と、係合ガイド部２６の外周側に連続して形成され光ディスク３のセンタ孔３ａの周囲を押さえるディスク押さえ部２７とを備える。
【００３３】
係合ガイド部２６は、複数の係合溝２６ａが放射状に形成され、ディスクテーブル１３の回転時、ディスクテーブル１３の軸部１７に形成された係合突起２２が何れかに係合するようになっている。また、ディスク押さえ部２７には、ゴムシート等の高摩擦の滑り止め部材２８が設けられている。
【００３４】
かかるディスク押さえ板１５は、シャーシ４に回動可能に取り付けられた回動支持部材３０に取り付けられることにより、光ディスク３に対して離接可能とされている。この回動支持部材３０は、略中央部が幅方向に膨出された略矩形の板金からなり、膨出端にはシャーシ４に取り付けられたディスクテーブル１３に対応して押さえ板１５が取り付けられている。
【００３５】
この回動支持部材３０は、シャーシ４の背面側コーナー部に突設された一対の支持片３１，３１に、長手方向の両端部より突設されている回動軸３２，３２が挿通支持されることにより、シャーシ４上を回動可能とされている。また回動支持部材３０は、一端をシャーシ４に係止されたバネ部材の他端が係止されることによって、常時シャーシ４側に付勢され、ディスク押さえ板１５とディスクテーブル１３とが当接されるよう回動されている。さらに回動支持部材３０は、長手方向の一端側から突設されたガイドピン３３が詳細を省略するガイド板のカム部によってガイドされることによりシャーシ４と近接離間される。
【００３６】
そしてディスク回転機構６は、ディスク搬送機構５によって装置本体２内に搬送された光ディスク３をディスクテーブル１３及びディスク押さえ板１５によって挟持することにより、光ディスク３を回転自在にチャッキングする。なおディスク押さえ板１５は、ディスクテーブル１３がスピンドルモータ１４によって回転駆動されることにより、光ディスク３とともに回転される。
【００３７】
ディスク回転機構６にチャッキングされた光ディスク３に対して情報信号の記録及び／又は再生を行う光ピックアップ７は、ピックアップベース４０を有し、このピックアップベース４０内に、レーザ光を出射する発光素子と、発光素子から出射されたレーザ光を光ディスク３の信号記録面に照射するとともに光ディスク３からの反射光を集光する対物レンズ４１と、集光された反射光を検出する光検出器とを備える光学ブロックが組み込まれている。
【００３８】
また、光ピックアップ７は、対物レンズ４１を光軸方向（フォーカシング方向という。）と、光ディスク３の記録トラックと直交する方向（トラッキング方向という。）とに変位駆動する２軸アクチュエータ等の対物レンズ駆動機構を有し、上述した光検出器により検出された光ディスク３からの検出信号に基づいて、この２軸アクチュエータにより対物レンズ４１をフォーカシング方向及びトラッキング方向に変位させながら、光ディスク３の信号記録面上に対物レンズ４１の焦点を合わせるフォーカスサーボや、対物レンズ４１により集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ４１により集光された光ビームを光ディスク３の信号記録面に垂直に照射させるように、光ディスク３の信号記録面に対する対物レンズ４１の傾き（スキュー）を調整可能とする３軸アクチュエータを用いてもよい。
【００３９】
かかる光ピックアップ７は、対物レンズ４１がディスクテーブル１３に装着された光ディスク３の径方向に亘ってシャーシ４に設けられた開口部９よりディスク搬送領域上に臨まされている。そして光ピックアップ７は、ディスクテーブル１３によって回転されている光ディスク３に対して発光素子から出射された光ビームを対物レンズ４１で集光して照射し、光ディスク３で反射された戻りの光ビームを光検出器で検出することによって、トラッキングサーボ、フォーカシングサーボ等の制御を行いながら光ディスク３に対してデータを書き込み、また、光ディスク３に記録されているデータの読み出しを行う。
【００４０】
ところで、ピックアップベース４０は、長手方向の一端４０ａ側に、シャーシ４の開口部９に形成された係合片１０の係合板部１０ａに係合することによりピックアップベース４０を係合片１０に支持させる支持部となる係合凹部４３が形成されている。図５に示すように、係合凹部４３は、断面略コ字状に形成され、係合板部１０ａの先端に向かって形成された開放端より係合片１０が挿通、係合されている。また係合凹部４３は、ピックアップベース４０が係合片１０に支持されながらスムーズに移動可能に、係合片１０の延設方向と直交する方向の相対向する内壁間の高さが係合板部１０ａの厚みよりも若干高く形成されている。そして係合凹部４３は、ピックアップベース４０の移動方向のうち光ディスクの内周側、すなわちディスクテーブル１３側に形成されている。
【００４１】
また、ピックアップベース４０は、長手方向の他端４０ｂ側に、シャーシ４の開口部９に配設されたガイド軸１１が挿通されることによりピックアップベース４０をガイド軸１１に支持させる支持部となる挿通孔４４が形成されている。挿通孔４４は、ピックアップベース４０がガイド軸１１にガイドされながらスムーズに移動可能にガイド軸１１の径よりも若干大きな内径を有する。この挿通孔４４は、ピックアップベース４０の他端４０ｂ側において、ピックアップベース４０の移動方向の両端部、すなわちディスクテーブル１３側及びディスクテーブル１３と反対側に形成されている。このうちディスクテーブル１３と反対側となる光ディスクの外周側に設けられた挿通孔４４の近傍には、後述する線状バネ５１の一端５１ａが係止される係止部５２が形成されている。係止部５２は、線状バネ５１の一端５１ａがピックアップベース４０の他端４０ｂ側壁との間で挟持される係止壁５２ａが形成されている。線状バネ５１の一端５１ａは、図６に示すように、係止壁５２ａによりガイド軸１１の延設方向と平行に挟持されるとともに、先端をピックアップベース４０の裏面側に折り曲げることにより係止部５２に係止させる。
【００４２】
さらに、ピックアップベース４０は、ピックアップベース４０を光ディスク３の径方向に移動させるピックアップ移動機構８のラック４６が取り付けられている。ピックアップベース４０は、このラック４６が送りギヤ４５によって送られることにより、ガイド軸１１に沿って開口部９内をディスクテーブル１３に回転可能に支持されている光ディスク３の径方向に送り操作される。
【００４３】
光ピックアップ７を光ディスク３の径方向に送り操作するピックアップ移動機構８は、光ピックアップ７を光ディスク３の径方向に移動可能に支持する係合片１０及びガイド軸１１と、シャーシ４に配設される送りギヤ４５と、ピックアップベース４０に取り付けられ送りギヤ４５を介して駆動力をピックアップベース４０に伝達するラック４６と、送りギヤ４５と係合された駆動モータ４７とを備える。
【００４４】
係合片１０及びガイド軸１１は、上述したように、シャーシ４の開口部９の長手方向に亘る両側縁に沿って、互いに平行となるように配設され、ピックアップベース４０を移動自在に支持する。また、ラック４６は、ピックアップベース４０に取り付けられるとともに一側面に送り歯５０が形成され、送りギヤ４５を介して駆動されると、送り歯５０の形成方向に沿って移動され、これによりピックアップベース４０を搬送させるものである。ラック４６と送りギヤ４５を介して連結された駆動モータ４７は、駆動軸にウォーム４８が取り付けられている。
【００４５】
また送りギヤ４５は、このウォーム４８と係合された大径の第１のギヤ４５ａと、ラック４６の送り歯５０と係合された小径の第２のギヤ４５ｂとが形成された２段ギヤとされている。したがって、光ピックアップ７は、駆動モータ４７が駆動されウォーム４８が回転することによって送りギヤ４５が回転されると、この送りギヤ４５を介してラック４６が直線方向に移動され、光ピックアップ７が光ディスク３の径方向に移動されることになる。
【００４６】
このラック４６は、板状に形成され、長手方向に沿って一側面に送り歯５０が形成されている。またラック４６は、ピックアップベース４０の対物レンズ４１が臨む主面と反対側の裏面側に取り付けられる。
【００４７】
光ピックアップ７は、長手方向の両端に亘って、ピックアップベース４０の揺動を防止する線状バネ５１が配設されている。線状バネ５１は、ピックアップベース４０の一端４０ａに形成された係合片１０の係合板部１０ａに係合された係合凹部４３の揺動を防止するためのものである。
【００４８】
この線状バネ５１は、図７に示すように、ディスクテーブル１３と反対側に形成されている係止部５２からディスクテーブル１３側に形成されている係合凹部４３にかけて、ピックアップベース４０の対物レンズ４１が臨まされた主面と反対側の裏面側を通って配設されている。
【００４９】
かかる線状バネ５１は、金属製の線材が折り曲げられて形成され、一端５１ａがピックアップベース４０の他端４０ｂに設けられた係止部５２に係止されている。この線状バネ５１は、一端５１ａがピックアップベース４０の主面側に設けられた係止部５２に係止された後、挿通孔４４と同軸に巻回部５１ｄが形成され、この巻回部５１ｄからピックアップベース４０の裏面側に延設されることにより、ピックアップベース４０の他端４０ｂ側の側面を挟持するようにして取り付けられる。
【００５０】
そして線状バネ５１は、他端５１ｂがピックアップベース４０の一端４０ａに形成された係合凹部４３の近傍に延設されている。この線状バネ５１の他端５１ｂは、係合凸部４３の係合片１０ａの延設方向と直交する方向の相対向する内壁間で、ピックアップベース４０の主面側に偏倚されるように上下方向へ折り曲げられている。
【００５１】
かかる線状バネ５１は、ピックアップベース４０の他端４０ｂに設けられた挿通孔４４がガイド軸１１に挿通されると共に一端４０ａに設けられた係合凹部４３が係合片１０に係合されることにより、この係合凹部４３の近傍に延設されている他端５１ｂが係合板部１０ａと当接する。このとき線状バネ５１は、一端５１ａが係止部５２に係止されると共に、ピックアップベース４０の他端４０ｂ側の側面を挟持するようにして取り付けられることにより回動が規制されているため、この一端５１ａを支点にピックアップベース４０の裏面側へ付勢される。これにより線状バネ５１は、係止部５２を支点に係合板部１０ａに付勢力を付与する。
【００５２】
したがってピックアップベース４０は、線状バネ５１によって挿通孔４４を挿通する係止部５２が形成された他端４０ｂを支点に、係合凹部４３の主面側の内壁が係合板部１０ａ側に押し当てられる。これによりピックアップベース４０は、係合凹部４３が係合板部１０ａの延設方向と直交する図５中矢印Ｒ方向に揺動してしまうことが防止され、光ディスク３に対する記録再生特性を良好に保つことができる。
【００５３】
ここで、線状バネ５１は、ピックアップベース４０の係合凹部４３の係合板部１０ａへの付勢力を、ピックアップベース４０の移動に支障のない程度の力としている。すなわち、線状バネ５１による係合凹部４３の係合板部１０ａへの付勢力が大きいと、ピックアップベース４０の揺動を抑えることはできるが、光ディスクの径方向への搬送における摩擦が大きくなり、ピックアップ移動機構８のラック４６や駆動モータ４７、係合凹部４３等に過剰な負荷を与え、また係合凹部４３の係合板部１０ａへの摺動に伴う音も発生する。
【００５４】
そこで、線状バネ５１は、バネ定数をピックアップベース４０の揺動防止を図り、かつ移動に対する過剰な負荷とならない値をとるように設計される。また線状バネ５１は、金属製の線材を曲げて形成されるため、板バネを用いた場合に比してバネ定数が低くなり、ピックアップベース４０を付勢する付勢部材の付勢力の精度が安定する。
【００５５】
以上のように、光ピックアップ７は、ピックアップベース４０の付勢手段として線状バネ５１を用い、この線状バネ５１の一端５１ａをピックアップベース４０の他端４０ｂに設けられた係止部５２の係止壁５２ａに係止すると共に他端４０ｂを挟持するようにして取り付ける構成としたことにより、ビス等を用いる必要がなくピックアップベース４０の大型化を招くことがない。また光ピックアップ７は、線状バネ５１を別部材を用いて取り付けるものではないため、部品点数や組み立て工程の増加を招くことがなく、あるいは別部品を取り付けるスペースを確保する必要がなくピックアップベース４０の小型化を図ることができる。
【００５６】
また線状バネ５１は、ピックアップベース４０の他端４０ｂ側に一端５１ａを係止させ、ピックアップベース４０の裏面側を通って一端４０ａ側まで延設されることで、全長を長く形成される。これにより線状バネ５１は、バネ定数の変位が安定する。さらに線状バネ５１は、ピックアップベース４０の他端４０ｂ側で光ディスクの外周側に設けられた係止部５２から、ピックアップベース４０の一端４０ａ側で光ディスクの内周側に設けられた係合凹部４３にかけて、折曲げ部５１ｃが形成されている。これにより、線状バネ５１は、全長がより長く形成されることから、さらなるバネ定数の変位の安定化を図ることができる。
【００５７】
なお、線状バネ５１は、全長を任意の長さとするために、ピックアップベース４０の裏面側において、折曲げ部５１ｃを複数設けることで全体を蛇行させることで長さを確保するようにしてもよい。
【００５８】
なお捻りコイルバネ５２は、ピックアップベース４０の他端４０ｂ側を挟持するように取り付けられると共に、ピックアップベース４０の係合凹部４３が係合片１０に係止されることにより、常時ピックアップベース４０を矢印Ｒ方向に回動付勢しているため、搬送時のみならず停止時においても、ピックアップベース４０の揺動を規制する。
【００５９】
以上のような構成を備えるディスク記録再生装置１は、装置本体２の前面２ａに形成されたディスク挿脱口から光ディスク３が挿入されると、ディスク搬送機構５の搬送ローラ１２が作動し、光ディスク３を装置本体２内に引き込む。そして光ディスク３は、回動支持部材３０がシャーシ４側に近接されることによりディスクテーブル１３とディスク押さえ板１５とに挟持され、中心孔３ａがセンタリング部１９に挿通されてディスクテーブル１３にチャッキングされる。このとき、ディスク押さえ板１５は、図８に示すように、係合凹部２５にディスクテーブル１３の軸部１７が係合し、更に、係合ガイド部２６が溝部１８に係合する。
【００６０】
光ディスク３に対して情報信号の記録又は再生が開始されると、光ピックアップ７が光ディスク３の内外周に亘って搬送される。具体的に、駆動モータ４７が回転駆動されると、送りギヤ４５を介してラック４６及びラック４６が一体に取り付けられたピックアップベース４０が、係合片１０及びガイド軸１１にガイドされながら光ディスク３の内周方向又は外周方向に搬送される。
【００６１】
このとき、光ピックアップ７は、線状バネ５１の一端５１ａによってピックアップベース４０が図５中矢印Ｒ方向へ付勢されるため、長手方向の一端４０ａ側に形成され係合片１０と係合する係合凹部４３の内壁が係合板部１０ａに押し当てられる。したがって、ピックアップベース４０は、ガイド軸１１の延設方向と略直交する方向への揺動が抑制され、光ディスク３に対する記録再生特性を良好に保つことができる。
【００６２】
また、記録再生動作が終了した後も、線状バネ５１によって、常時ピックアップベース４０には図５中矢印Ｒ方向への付勢力が作用するため、光ピックアップ７は、記録再生動作の停止中おいてもピックアップベース４０の揺動を抑えることができる。したがって光ピックアップ７は、装置本体２に振動が加わった場合にもピックアップベース４０が揺動することによる衝撃を抑えることができる。特に車載用のディスク記録再生装置１においては、光ディスク３の記録再生動作中であるか否かに関わらず、クルマの走行による振動が常時装置本体２に加わるため、かかる振動によるピックアップベース４０の揺動を抑えることで係合凹部４３や係合片１０、その他光学ブロック等への衝撃を回避することができる。
【００６３】
以上、車載用のディスク記録再生装置に本発明を適用した場合について説明したが、本発明は、これに限らず、例えば据え置き型のディスク記録及び／又は再生装置や、パソコンのドライブベイに組み込まれて用いられるディスク記録及び／又は再生装置に適用することもできる。また、光ディスクの搬送方法も、いわゆるスロットインタイプに限らず、ディスクトレイを用いて光ディスクを搬送するタイプに適用することもできる。
【図面の簡単な説明】
【００６４】
【図１】本発明に係る記録再生装置を車載用のディスク記録再生装置に適用した様子を示す斜視図である。
【図２】ディスク記録再生装置の内部を示す斜視図である。
【図３】ディスク記録再生装置の内部を示す平面図である。
【図４】ディスク押さえ板を示す斜視図である。
【図５】光ピックアップを示す側面図である。
【図６】ピックアップベースを他端側から示す側面図である。
【図７】ピックアップベースを裏面側から示す斜視図である。
【図８】光ディスクがチャッキングされたディスク回転機構を示す断面図である。
【図９】従来のディスク記録再生装置の内部を示す平面図である。
【図１０】回転力が付与された従来のピックアップベースを示す正面図である。
【符号の説明】
【００６５】
１  ディスク記録再生装置、２  装置本体、３  光ディスク、４  シャーシ、６  ディスク回転機構、７  光ピックアップ、８  ピックアップ移動機構、９  開口部、１０  係合片、１０ａ  係合板部、１１  ガイド軸、１３  ディスクテーブル、１５  ディスク押さえ板、４０  ピックアップベース、４１  対物レンズ、４３  係合凹部、４４  挿通孔、４５  送りギヤ、４６  ラック、４７  駆動モータ、４８  ウォーム、５０  送り歯、５１  線状バネ、５２  係止部
【図１】
2007272976.tif 000003
【図２】
2007272976.tif 000004
【図３】
2007272976.tif 000005
【図４】
2007272976.tif 000006
【図５】
2007272976.tif 000007
【図６】
2007272976.tif 000008
【図７】
2007272976.tif 000009
【図８】
2007272976.tif 000010
【図９】
2007272976.tif 000011
【図１０】
2007272976.tif 000012